(57)【要約】【課題】遊技により遊技媒体を獲得した遊技者が遊技媒体の計数時に感じる商品購買意欲と、商品販売者の商品拡販に対する要求とを結び付けることが可能な遊技媒体計数機を提供する。【解決手段】コイン計数機１は、遊技者から視認可能な位置に開設した窓部１１と、該窓部１１に臨むようにしてコイン計数機１の筐体内に配設された広告表示装置２０とを備える。広告表示装置２０は、表面に複数種類の広告を表示した無端ベルトと、該無端ベルトを掛け渡すための複数のローラ（従動ローラ、駆動ローラ）を備え、該複数のローラの少なくとも１つが無端ベルトを回転駆動させるための駆動ローラとされている。広告表示装置２０は、コイン計数機１に対して着脱可能とすることができ、無端ベルトは、広告表示装置２０に対して着脱可能とすることができる。【選択図】　　　　　図１
2004033434.tif 000002
【特許請求の範囲】
【請求項１】
投入された遊技媒体を計数する遊技媒体計数機において、
外部から視認可能な位置に広告表示装置を配設してなることを特徴とする遊技媒体計数機。
【請求項２】
遊技媒体投入者から視認可能な位置に開設した窓部と、
該窓部に臨むようにして前記遊技媒体計数機内に配設された広告表示装置とを備え、
前記広告表示装置は、表面に広告を表示した無端ベルトと、該無端ベルトを掛け渡すための複数のローラとを備え、該複数のローラの少なくとも１つが前記無端ベルトを回転駆動させるための駆動ローラであることを特徴とする遊技媒体計数機。
【請求項３】
前記広告表示装置は、前記遊技媒体計数機の筐体に対して着脱可能であることを特徴とする請求項２記載の遊技媒体計数機。
【請求項４】
前記無端ベルトは、前記広告表示装置に対して着脱可能であることを特徴とする請求項２または３記載の遊技媒体計数機。
【発明の詳細な説明】
【０００１】
【発明の属する技術分野】
本発明は、遊技機の遊技により獲得した賞としての遊技媒体を計数する遊技媒体計数機に関するものである。
【０００２】
【従来の技術および発明が解決しようとする課題】
一般に、スロットマシン等の遊技ホールにおいては、遊技者が遊技により獲得した賞としてのコイン（遊技媒体）を計数するコイン計数機（遊技媒体計数機）が設置されている。このようなコイン計数機は、コインを投入する投入口と、投入されたコインを計数する計数部と、計数されたコイン数を表示する表示部等をその前面部分に備えており、遊技者が獲得したコインをコイン投入口に投入し、その獲得したコイン数を表示部に表示された数値によって認識できるようになっている。なお、通常、このコイン計数機には、計数されたコイン数を印字するプリンタが設けられており、遊技者はコイン数が印字されたカードをカウンタに提出して、そのコイン数に応じた景品等を受け取るようになっている。
【０００３】
ところで、大量のコインを獲得した遊技者は、特にそのコインの計数値を確認する際に大きな喜びを感じるものであり、その喜びを具体的な商品を購入する等の行為により表現したいと望むことが多い。
【０００４】
一方、商品販売の拡販を図りたい各種業界においては、このような遊技者の商品購買意欲を実際の商品販売に結び付けたいという要望がある。
【０００５】
本発明は、このような事情に鑑みなされたもので、遊技により遊技媒体を獲得した遊技者が遊技媒体の計数時に感じる商品購買意欲と、商品販売者の商品拡販に対する要求とを結び付けることが可能な遊技媒体計数機を提供することを目的とするものである。
【０００６】
【課題を解決するための手段】
本発明に係る遊技媒体計数機は、上述した目的を達成するため、以下の特徴点を備えている。
すなわち、本発明に係る遊技媒体計数機は、投入された遊技媒体を計数する遊技媒体計数機において、
外部から視認可能な位置に広告表示装置を配設してなることを特徴とするものである。
【０００７】
また、上記遊技媒体計数機において、遊技媒体投入者から視認可能な位置に開設した窓部と、
該窓部に臨むようにして前記遊技媒体計数機内に配設された広告表示装置とを備え、
前記広告表示装置は、表面に広告を表示した無端ベルトと、該無端ベルトを掛け渡すための複数のローラとを備え、該複数のローラの少なくとも１つが前記無端ベルトを回転駆動させるための駆動ローラとすることが可能である。
ここで、前記広告表示装置は、前記遊技媒体計数機の筐体に対して着脱可能とすることが可能である。
【０００８】
また、前記無端ベルトは、前記広告表示装置に対して着脱可能とすることが可能である。
【０００９】
なお、上述した「遊技媒体」とは、遊技機の遊技において、その個数が計数可能な賞として払出されるコイン、メダル、パチンコ球等の媒体を総称するものとする。
【００１０】
【発明の実施の形態】
以下、図面に基づいて、本発明に係る遊技媒体計数機の一実施形態を説明する。
図１は、本発明の実施形態に係る遊技媒体計数機の斜視図、図２は、広告表示装置の縦断面図である。
【００１１】
＜コイン計数機＞
本発明の実施形態に係る遊技媒体計数機（以下の実施形態の説明においてはコイン計数機１と称する）は、スロットマシンの遊技において遊技者が賞として獲得したコイン（メダルを含む）を清算時において計数するためのものであり、図１に示すように、そのコインを投入する投入口１３、投入されたコインを計数する図示されない計数部、計数されたコイン数等を表示する表示部１４、計数されたコイン数をカード（レシート）に印字し、印字されたカード（レシート）を排出するプリンタ１５、および計数処理の開始、印字処理の開始等の操作を行なうスイッチボタンを備えた操作部１２を備えている。また、この操作部１２には、「全部」および「返却」の文字が表示されたスイッチボタンが設けられており、「全部」のスイッチボタンを押下すると投入された全てコインの数がカードに印字され、一方、「返却」のスイッチボタンを押下すると景品に対して端数となったコインが返却される。
【００１２】
また、このコイン計数機１の上部には、内部を透視可能な窓部１１が設けられており、この窓部を介して、コイン計数機１の筐体内に配された後述する広告表示装置２０がコイン投入者に視認可能とされている。
【００１３】
大量のコインを獲得した遊技者は、そのコインの計数値を確認する際に、大きな喜びとともに、その喜びを具体的な商品を購入する等の行為により表現したいという商品購買意欲が増大するものであり、そのタイミングにおいて視認される、上記広告表示装置２０に表示された広告は広告効率が飛躍的に増大されたものとなる。
これにより、遊技者の商品購買意欲と、商品販売者の商品拡販に対する要求とが巧妙に結び付けられる。
【００１４】
＜広告表示装置＞
広告表示装置２０は、図２に示すように、表面に複数種類の広告を表示した無端ベルト２１と、該無端ベルト２１を掛け渡すための一対の従動ローラ２２と、該無端ベルト２１を回転駆動させるための駆動ローラ２３とを備えており、無端ベルト２１、従動ローラ２２および駆動ローラ２３がコイン計数機１のユニット筐体２５内に収容されている。なお、駆動ローラ２３は、モータ２４の駆動により回転するようになっている。
【００１５】
図３および図４は、各々、無端ベルト２１の表面に缶ビールやタバコが広告表示された態様を示すものである。勿論、その態様としては、缶ビールやタバコに限られるものではなく、種々の商品やサービスを広告表示することが可能である。
このように、表面に複数種類の広告を表示した無端ベルト２１を回転させて広告を表示すれば、その動きのおもしろさ故に広告宣伝機能を高めることができる。
【００１６】
この広告表示装置２０は、コイン計数機１に対してユニット筐体２５ごと着脱可能となっている。したがって、コイン計数機１から広告表示装置２０を取り外して、他の広告表示装置２０と交換することにより、他の種類の広告を表示することが可能となる。
【００１７】
また、無端ベルト２１は、従動ローラ２２および駆動ローラ２３に対して着脱可能となっている。したがって、無端ベルト２１を取り外して、他の無端ベルト２１と交換することにより、他の種類の広告を表示することが可能となる。
このように、本実施形態に係るコイン計数機１では、広告表示装置２０を交換したり、あるいは無端ベルト２１のみを交換することにより、遊技店、ひいてはＣＭスポンサの所望に応じてバリエーションに富んだ広告を表示することができる。
【００１８】
＜制御装置＞
上記コイン計数機１は、制御装置により電気的に制御される。図５に基づいて、その制御装置の構成を説明する。図５は、制御部および周辺機器のブロック図を示すブロック図である。
制御装置１００は、図５に示すように、ＣＰＵ１１０、計数処理手順等を記憶したＲＯＭ１５２、一時記憶領域であるＲＡＭ１５３、およびＩＯポート２１０等を備えている。
ＣＰＵ１１０には、コインを計数するための計数部２２０を駆動するための計数部駆動回路２１８が接続されている。
【００１９】
また、ＣＰＵ１１０には、Ｉ／Ｏポート２１０を介して、操作部駆動回路２１２、表示部駆動回路２１４、およびプリンタ駆動回路２１５が接続されており、これらの回路等に対して制御信号を送信する。
【００２０】
操作部駆動回路２１２は計数操作を行なうための操作部１２を制御するための回路であり、表示部駆動回路２１４は、表示部１４における表示駆動を制御するための回路であり、プリンタ駆動回路２１５は、計数した結果を印字するプリンタ１５を駆動制御するための回路である。
【００２１】
また、ＣＰＵ１１０には、モータ駆動回路８７が接続されている。
【００２２】
モータ駆動回路８７は、モータ２４に対して制御信号を送信して、無端ベルト２１の駆動を制御するための回路である。また、ベルト位置検出回路８８には、無端ベルト２１の回転位置を検出するための光学センサ等からなる位置検出センサ（図示せず）が設けられている。
【００２３】
無端ベルト２１の駆動制御では、ベルト位置検出回路８８により無端ベルト２１の回転位置を検出し、この検出出力がＣＰＵ１１０に入力され、ＣＰＵ１１０からの制御信号によりモータ駆動回路８７がモータ２４を駆動制御して、所定位置で無端ベルト２１を停止させ広告表示を行う。無端ベルト２１の表面には複数の広告が表示されており、無端ベルト２１を回転させて所定位置で停止させることにより、各広告を順次表示することができる。
【００２４】
なお、無端ベルト２１の回転に関する時間間隔、すなわち広告の表示時間間隔は、遊技店の所望に応じて適宜設定することができる。また、従動ローラ２２の間隔を調節したり、従動ローラ２２の個数を増減することにより、無端ベルト２１の長さを調節することができ、これにより表示可能な広告量を調整することができる。さらに、複数の機種で、広告表示装置２０あるいは無端ベルト２１の規格を統一することにより、遊技店の所望に一層柔軟に対応することができる。
【００２５】
＜他の実施形態＞
図６は、他の実施形態に係るコイン計数機３０１を示す斜視図である。このコイン計数機３０１も、上述したコイン計数機１と略同様の機能を有しているが、広告表示装置３２０の配設位置が異なっている。
すなわち、コイン計数機３０１は、そのコインを投入する投入口３１３、投入されたコインを計数する図示されない計数部、計数されたコイン数等を表示する表示部３１４、計数されたコイン数をカード（レシート）に印字し、印字されたカード（レシート）を排出するプリンタ３１５、および計数処理の開始、印字処理の開始等の操作を行なうスイッチボタンを備えた操作部３１２を備えている。
【００２６】
また、このコイン計数機３０１の前面には、内部を透視可能な窓部３１１が設けられており、この窓部を介して、計数機３０１の筐体内に配された、上記広告表示装置２０と略同様に構成された広告表示装置３２０がコイン投入者に視認可能とされている。
【００２７】
なお、上述した実施形態では、コイン計数機１、３０１の上面または前面に広告を機械的に表示する広告表示装置が設けられているが、広告表示装置の態様としてはこのように機械的に表示されるものに限られるものではなく、要は、コイン計数機１、３０１の外部から視認可能な位置に、広告を表示する手段を備えていればよい。したがって、例えば、コイン計数機１、３０１の上部または前面等に広告を表示し得る液晶表示部、ＣＲＴ、プラズマディスプレイ、ＥＬ、ドットマトリクス等の表示部を設けるように構成することも可能である。
【００２８】
【発明の効果】
以上説明したように、本発明に係る遊技媒体計数機によれば、遊技媒体投入者から視認可能な位置に広告表示装置を配設したことにより、遊技により遊技媒体を獲得した遊技者が遊技媒体の計数時に感じる商品購買意欲と、商品販売者の商品拡販に対する要求とを結び付けることが可能となる。
【００２９】
すなわち、遊技者は、遊技媒体の計数値を確認する際に、大きな喜びとともに、その喜びを具体的な商品を購入する等の行為により表現したいという商品購買意欲が増大するものであり、そのタイミングにおいて視認される、上記広告表示装置に表示された広告は広告効率が飛躍的に増大されたものとなる。
これにより、遊技者の商品購買意欲と、商品販売者の商品拡販に対する要求とを巧妙に結び付けることができる。
そして、広告表示装置として、表面に広告を表示した無端ベルトを複数のローラに掛け渡し、このローラの少なくとも１つにより無端ベルトを回転駆動させるようにすれば、その動きのおもしろさ故に広告宣伝機能をさらに高めることができる。
【００３０】
また、遊技媒体計数機に対して広告表示装置を着脱可能としたり、あるいは無端ベルトを着脱可能とすることにより、遊技店の所望に応じてバリエーションに富んだ広告表示を行うことができる。
【図面の簡単な説明】
【図１】本発明の実施形態に係る遊技媒体計数機の斜視図
【図２】広告表示装置の縦断面図
【図３】無端ベルトに表示された広告の一態様を示す概略図
【図４】無端ベルトに表示された広告の別の態様を示す概略図
【図５】制御装置の構成を説明するためのブロック図
【図６】本発明の他の実施形態に係る遊技媒体計数機の斜視図
【符号の説明】
１、３０１　　　　　コイン計数機
１１、３１１　　　　　窓部
１２、３１２　　　　　操作部
１３、３１３　　　　　投入口
１４、３１４　　　　　表示部
１５、３１５　　　　　プリンタ
２０、３２０　　　　　広告表示装置
２１　　　　　無端ベルト
２２　　　　　従動ローラ
２３　　　　　駆動ローラ
２４　　　　　モータ
８７　　　　　モータ駆動回路
８８　　　　　ベルト位置検出回路
１００　　　　　制御装置
１１０　　　　　ＣＰＵ
２１０　　　　　ＩＯポート
２１２　　　　　操作部駆動回路
２１４　　　　　表示部駆動回路
２１５　　　　　プリンタ駆動回路
２１８　　　　　計数部駆動回路
２２０　　　　　計数部
【図１】
2004033434.tif 000003
【図２】
2004033434.tif 000004
【図３】
2004033434.tif 000005
【図４】
2004033434.tif 000006
【図５】
2004033434.tif 000007
【図６】
2004033434.tif 000008